(57)【要約】【課題】本発明は空気調和装置の発光表示装置に関するもので、発光表示装置の視認性向上ができるものである。【解決手段】本発明は、第１の発光部１９と第２の発光部２０からの光が入射する導光部２１とを備えている。第１の発光部１９と第２の発光部２０とは平行に多数配置され、第１の発光部１９は基板部１８における一方端側に設けられ、第２の発光部２０は第１の発光部１９より基板部１８における他方端側に設けられている。板形状の導光部２１は、一方面側の面には、第１の発光部１９と第２の発光部２０と対向した入射面２２を、基板部１８における一方端側には、入射面２２に対して垂直な端面である発光面２５を、他方面側の面と基板部１８における他方端側の端部の面とからなる角部には、角部のＣ面とりによる傾斜面２４を備えている。第１の発光部１９と第２の発光部２０とは異なる色を発光し、導光部２１は拡散剤を含んでいる。【選択図】図３
2018054709.tif 000002
【特許請求の範囲】
【請求項１】
板形状の基板部と、
前記基板部の一方面側に装着した第１の発光部と第２の発光部と、
前記第１の発光部と前記第２の発光部からの光が入射する導光部とを備え、
前記第１の発光部と前記第２の発光部とは平行に多数配置され、
前記第１の発光部は前記基板部における一方端側に設けられ、
前記第２の発光部は前記第１の発光部より前記基板部における他方端側に設けられ、
板形状の前記導光部は、
一方面側の面には、前記第１の発光部と前記第２の発光部と対向した入射面を、
前記基板部における一方面側には、前記入射面に対して垂直な端面である発光面を、
他方面側の面と前記基板部における他方端側の端部の面とからなる角部には、角部のＣ面とりによる傾斜面を備え、
前記第１の発光部と前記第２の発光部とは異なる色を発光し、
前記導光部は拡散剤を含むことを特徴とする発光表示装置。
【請求項２】
前記第２の発光部は前記第１の発光部より視認性が悪く、
前記第２の発光部からの光が前記傾斜面に当たる面積は、
前記第１の発光部からの光が前記傾斜面に当たる面積より大きいことを特徴とする請求項１に記載の発光表示装置。
【請求項３】
前記第１の発光部は前記導光部の他方面側の面と対向し、
前記第２の発光部は前記傾斜面と対向することを特徴とする請求項２に記載の発光表示装置。
【発明の詳細な説明】
【技術分野】
【０００１】
本発明は、空気調和装置に使用される発光表示装置に関するものである。
【背景技術】
【０００２】
従来のこの種の発光表示装置の構成は以下のようになっていた（例えば、特許文献１参照）。
【０００３】
発光表示装置は、空気調和装置に設けられ、空気の汚れ度合を色表示していた。発光表示装置は、略横長平板形状の導光部と、長辺方向に多数の発光部を有していた。発光部は、異なる２色の発光部が、交互に配列されていた。導光部の発光面は本体における前面に配置され、発光部は導光部の発光面に対向するように設けられていた。（例えば、これに類似する先行文献は下記特許文献１に記載されている）。
【先行技術文献】
【特許文献】
【０００４】
【特許文献１】特開２００２−３２５８６号公報
【発明の概要】
【発明が解決しようとする課題】
【０００５】
このような従来の発光表示装置においては、導光部の発光面に対して、多数の発光部が対向するように設けられていた。この状態で、発光部から導光部へ照射すると、発光面が一様に光らず、発光面に多数の円形の明るい部分が発生し、輝度のむらが発生するという課題を有していた。
【０００６】
そこで本発明は、発光表示装置の輝度のむらを抑制し、視認性を向上することを目的とするものである。
【課題を解決するための手段】
【０００７】
そしてこの目的を達成するために本発明は、板形状の基板部と、前記基板部の一方面側に装着した第１の発光部と第２の発光部と、前記第１の発光部と前記第２の発光部からの光が入射する導光部とを備え、前記第１の発光部と前記第２の発光部とは平行に多数配置され、前記第１の発光部は前記基板部における一方端側に設けられ、前記第２の発光部は前記第１の発光部より前記基板部における他方端側に設けられ、板形状の前記導光部は、一方面側の面には、前記第１の発光部と前記第２の発光部と対向した入射面を、前記基板部における一方面側には、前記入射面に対して垂直な端面である発光面を、他方面側の面と前記基板部における他方端側の端部の面とからなる角部には、角部のＣ面とりによる傾斜面を備え、前記第１の発光部と前記第２の発光部とは異なる色を発光し、前記導光部は拡散剤を含むことを特徴としたものである。
【０００８】
これにより、初期の目的を達成するものである。
【発明の効果】
【０００９】
以上のように本発明は、板形状の基板部と、前記基板部の一方面側に装着した第１の発光部と第２の発光部と、前記第１の発光部と前記第２の発光部からの光が入射する導光部とを備え、前記第１の発光部と前記第２の発光部とは平行に多数配置され、前記第１の発光部は前記基板部における一方端側に設けられ、前記第２の発光部は前記第１の発光部より前記基板部における他方端側に設けられ、板形状の前記導光部は、一方面側の面には、前記第１の発光部と前記第２の発光部と対向した入射面を、前記基板部における一方面側には、前記入射面に対して垂直な端面である発光面を、他方面側の面と前記基板部における他方端側の端部の面とからなる角部には、角部のＣ面とりによる傾斜面を備え、前記第１の発光部と前記第２の発光部とは異なる色を発光し、前記導光部は拡散剤を含むことを特徴としたものなので、第１の発光部と第２の発光部から照射される光が、導光部の入射面から直接、発光面に光が進まずに、導光部における他方側の面、傾斜面、および一方側の面で反射を繰返し、拡散剤を含む導光部で拡散しながら発光面へ進むので、発光表示装置の輝度のむらを抑制し視認性を向上するという効果を得ることができる。
【図面の簡単な説明】
【００１０】
【図１】本発明の実施の形態１の空気調和装置の斜視図
【図２】同空気調和装置の断面図
【図３】同空気調和装置の発光表示装置を示す断面図
【発明を実施するための形態】
【００１１】
以下、本発明の実施の形態について図面を参照しながら説明する。
【００１２】
（実施の形態１）
図１は、本発明の実施の形態１の空気調和装置の斜視図であり、空気調和装置を前面側から見た図である。図２は、本発明の実施の形態１の空気調和装置の断面図であり、空気調和装置を右側から見た図である。
【００１３】
図１、２に示すように、本実施形態の空気調和装置１は、本体ケース２と、本体ケース２内には、送風機３と、空気調和部である空気清浄部４および加湿部５と、センサー部６と、発光表示装置７とを備えている。
【００１４】
本体ケース２は、両側面には略四角形状の吸気口８を有し、天面には開閉式の吹出口９を備えている。図１、２では、吹出口９は、閉じた状態である。本体ケース２の前面上部には、センサー部６と発光表示装置７とを有している。
【００１５】
送風機３は、本体ケース２の中央部に設けられ、モータ部１０と、モータ部１０により回転するファン部１１と、それらを囲むケーシング部１２とを備えている。
【００１６】
ファン部１１は、シロッコファンで、モータ部１０から水平方向に延びたモータ軸（図示せず）に固定され、モータ部１０は、ケーシング部１２に固定されている。ケーシング部１２は、ケーシング部１２の本体ケース２における上面側に吐出口１３を備え、ケーシング部１２の本体ケース２における背面側に吸込口１４を有している。
【００１７】
空気清浄部４は、本体ケース２内における前面側に設けられている。空気清浄部４の一例は、蛇腹状に折られた濾材を額縁状の枠に固定された空気清浄フィルターである。
【００１８】
加湿部５は、水を貯水する貯水容器１５と、貯水容器１５に水を供給するタンク部材（図示せず）と、貯水容器１５内の水に一部が浸漬した加湿フィルター１６とを備えている。貯水容器１５と加湿フィルター１６は、送風機３より下方に配置されている。
【００１９】
モータ部１０によってファン部１１が回転すると、吸気口８から風路１７内に入った外部の空気は、順に、空気清浄部４である空気清浄フィルター、加湿部５である加湿フィルター１６、送風機３、吹出口９を介して、吹き出される。
【００２０】
センサー部６の一例は、汚れセンサーである。汚れセンサーは、本体ケース２外の空気の汚れ度合を検知する。検知した空気の汚れ度合を発光表示装置７で表示する。
【００２１】
図３は、本発明の実施の形態１の空気調和装置の発光表示装置の断面図である。
【００２２】
本実施形態の特徴は、発光表示装置７である。図３に示すように、発光表示装置は、基板部１８と、第１の発光部１９と、第２の発光部２０と、導光部２１とを備えている。第１の発光部１９と、第２の発光部２０とは、異なる色を発光する。例えば、発光表示装置７は、センサー部６によってきれいな空気を検知した場合には、第１の発光部１９のみを発光させ、汚れた空気を検知した場合には、第２の発光部２０のみを発光させる。
【００２３】
基板部１８は、横長四角形の板形状であり、本体ケース２内の上部に面が水平となるように配置されている。本体ケース２における左右方向が、基板部１８における長手方向であり、本体ケース２における前後方向が、基板部１８における短手方向である。基板部１８の上面（基板部１８における一方面側）には、第１の発光部１９と第２の発光部２０とが装着されている。
【００２４】
多数の第１の発光部１９と多数の第２の発光部２０とは、本体ケース２における左右方向に延び、多数の第１の発光部１９の列と、多数の第２の発光部２０の列とを成している。多数の第１の発光部１９の列と、多数の第２の発光部２０の列とは平行に配置され、各々の第１の発光部１９と、各々の第２の発光部２０とは、本体ケースにおける前後方向において対向している。第１の発光部１９は、本体ケース２における前面側（基板部１８における一方端側）に設けられている。第２の発光部２０は、第１の発光部１９より本体ケース２における背面側（基板部１８における他方端側）に設けられている。
【００２５】
第１の発光部１９と第２の発光部２０の一例は、チップ型発光ダイオード（ＬＥＤ）である。第１の発光部１９と第２の発光部２０は、上方向へ光を照射する。第１の発光部１９と第２の発光部２０は、光軸２６を中心として所定角度の指向性を有している。第１の発光部１９と第２の発光部２０から照射した光が導光部２１へ入射する。
【００２６】
導光部２１は、横長四角形の板形状であり、第１の発光部１９と第２の発光部２０の上方に面が水平となるように固定されている。本体ケース２における左右方向が、導光部２１における長手方向であり、本体ケース２における前後方向が、導光部２１における短手方向である。導光部２１は、入射面２２と、対向面２３と、傾斜面２４と、発光面２５とを備えている。
【００２７】
入射面２２は、導光部２１における下面（導光部２１における一方面側の面）であり、第１の発光部１９と第２の発光部２０と対向している。対向面２３は、導光部２１における上面（導光部２１における他方面側の面）であり、入射面２２と対向している。対向面２３と入射面２２とは、平行である。傾斜面２４は、対向面２３と、本体ケースにおける背面側（基板部における他方端側）の端部の面とからなる角部のＣ面とりによる面である。発光面２５は、本体ケース２における前面側（基板部における一方端側）であり、入射面２２に対して垂直な端面である。
【００２８】
導光部２１は、材質はＧＰ−ＰＳであり、色は乳白色であり、拡散剤を含んでいる。拡散剤は、透明樹脂と屈折率の異なる粒子を分散させることで光を拡散させている。
【００２９】
以上の構成により、第１の発光部１９と第２の発光部２０から照射される光が、導光部２１の入射面２２から直接、発光面２５に光が進まずに、対向面２３、傾斜面２４、および入射面２２で反射を繰返し、乳白色の導光部内で拡散しながら発光面２５へ進むので、発光表示装置７の輝度のむらを抑制するという効果を得ることができる。
【００３０】
また、第１の発光部１９と、第２の発光部２０とは、発光する色によって視認性に差が出るものがある。どちらも視認性自体に問題がある訳ではないが、第１の発光部１９と第２の発光部２０とを同時比較すると、どちらか一方が他方に比べると視認性が劣るように見える場合がある。
【００３１】
そこで、第２の発光部２０が、第１の発光部１９より視認性が悪い場合には、第２の発光部２０からの光が傾斜面２４に当たる面積を、第１の発光部１９からの光が傾斜面２４に当たる面積より大きくすることにより、視認性の差を抑制できると考えられる。
【００３２】
具体的には、第１の発光部１９は、導光部２１の対向面２３と対向し、第２の発光部は傾斜面２４と対向している。すなわち、第１の発光部１９の光の中心である光軸２６は、導光部２１の対向面２３と対向し、第２の発光部２０の光の中心である光軸２６は、傾斜面２４と対向している。第２の発光部２０からの光が傾斜面２４に当たる面積は、第１の発光部１９からの光が傾斜面２４に当たる面積より大きくなる。これにより、第２の発光部２０からの光がより多く傾斜面２４に当たるので、第１の発光部１９から発光面２５に照射される量に比べ、第２の発光部２０から発光面２５に照射される量が増え、第２の発光部２０の視認性が向上し、第１の発光部１９の視認性と第２の発光部２０の視認性との差を抑制し、結果として、視認性が向上できると考えられる。
【産業上の利用可能性】
【００３３】
本発明に係る発光表示装置は、視認性向上を可能にするものであるので、家庭用や事務所で使用される空気調和装置の発光表示装置として有用である。
【符号の説明】
【００３４】
１    空気調和装置
２    本体ケース
３    送風機
４    空気清浄部
５    加湿部
６    センサー部
７    発光表示装置
８    吸気口
９    吹出口
１０    モータ部
１１    ファン部
１２    ケーシング部
１３    吐出口
１４    吸込口
１５    貯水容器
１６    加湿フィルター
１７    風路
１８    基板部
１９    第１の発光部
２０    第２の発光部
２１    導光部
２２    入射面
２３    対向面
２４    傾斜面
２５    発光面
２６    光軸
【図１】
2018054709.tif 000003
【図２】
2018054709.tif 000004
【図３】
2018054709.tif 000005